(57)【要約】      （修正有）【課題】無駄な広告等を減らす広告・アンケート配信システムを提供する。【解決手段】端末２の利用者３に情報発信者６の広告・アンケートを配信するためのもので、情報発信者６の広告等を広告・アンケート識別情報と共に記憶する広告・アンケート情報記憶手段14と、利用者別に情報発信者６の広告・アンケート識別情報を記憶する利用者別広告・アンケート情報記憶手段15と、情報発信者６と利用者３の双方の承諾を得ると、広告・アンケート情報記憶手段14に記憶されている当該情報発信者の広告・アンケート識別情報を当該利用者の利用者別広告・アンケート情報記憶手段15に記憶させる広告・アンケートマッチング手段16と、利用者別広告・アンケート情報記憶手段15に記憶された広告・アンケート識別情報に対応する広告等を広告・アンケート情報記憶手段14から当該利用者の端末２に送信する広告・アンケート送信手段17とを具備する。【選択図】図１
2011040056.tif 000002
【特許請求の範囲】
【請求項１】
端末の利用者に情報発信者の広告及びアンケートのいずれか一方又は両方を配信するための広告・アンケート配信システムであって、
前記情報発信者の広告及びアンケートのいずれか一方又は両方を広告・アンケート識別情報と共に記憶する広告・アンケート情報記憶手段と、
利用者別に情報発信者の広告・アンケート識別情報を記憶する利用者別広告・アンケート情報記憶手段と、
情報発信者と利用者の双方の承諾を得ると、前記広告・アンケート情報記憶手段に記憶されている当該情報発信者の広告・アンケート識別情報を当該利用者の利用者別広告・アンケート情報記憶手段に記憶させる広告・アンケートマッチング手段と、
利用者別広告・アンケート情報記憶手段に記憶された広告・アンケート識別情報に対応する広告・アンケートを前記広告・アンケート情報記憶手段から当該利用者の端末に送信する広告・アンケート送信手段と、
を具備することを特徴とする広告・アンケート配信システム。
【請求項２】
前記広告・アンケートマッチング手段は、利用者又は情報発信者のうち、少なくとも一方が承諾を破棄した場合には、当該情報発信者の広告・アンケート識別情報を当該利用者の利用者別広告・アンケート情報記憶手段から削除することを特徴とする請求項１記載の広告・アンケート配信システム。
【請求項３】
端末から利用者の行動に起因する情報である利用者行動情報と、当該端末の端末識別情報とを取得する利用者行動情報取得手段と、
前記利用者行動情報取得手段が取得した利用者行動情報及び端末識別情報を記憶する利用者行動情報記憶手段と、
任意の検索条件を満たしている利用者行動情報に対応する利用者を前記利用者行動情報記憶手段から検索する利用者検索手段と、
を具備することを特徴とする請求項１又は２記載の広告・アンケート配信システム。
【請求項４】
情報発信者に関する情報発信者情報と、当該情報発信者の情報発信者識別情報とを取得する情報発信者情報取得手段と、
前記情報発信者情報取得手段が取得した情報発信者情報と情報発信者識別情報とを記憶する情報発信者情報記憶手段と、
入力した検索条件を満たしている情報発信者情報に対応する情報発信者を情報発信者記憶手段から検索する情報発信者検索手段と、
を具備することを特徴とする請求項１ないし３のいずれかに記載の広告・アンケート配信システム。
【請求項５】
前記マッチング手段において、利用者が情報発信者の広告及びアンケートのいずれか一方または、両方を承諾した際に特典に関する情報を記憶する特典記憶手段を具備することを特徴とする請求項１ないし４のいずれかに記載の広告・アンケート配信システム。
【請求項６】
端末の利用者に情報発信者の広告及びアンケートのいずれか一方または、両方を配信するための広告・アンケート配信方法であって、
前記情報発信者の広告及びアンケートのいずれか一方または、両方を広告・アンケート識別情報と共に広告・アンケート情報記憶手段に記憶させる広告・アンケート情報記憶工程と、
情報発信者と利用者の双方の承諾を得ると、前記広告・アンケート情報記憶手段に記憶されている当該情報発信者の広告・アンケート識別情報を当該利用者の利用者別広告・アンケート情報記憶手段に記憶させる広告・アンケートマッチング工程と、
利用者別広告・アンケート情報記憶手段に記憶された広告・アンケート識別情報に対応する広告・アンケートを前記広告・アンケート情報記憶手段から当該利用者の端末に送信する広告・アンケート送信工程と、を有することを特徴とする広告・アンケート配信方法。
【請求項７】
利用者又は情報発信者のうち、少なくとも一方が承諾を破棄した場合には、当該情報発信者の広告・アンケート識別情報を当該利用者の利用者別広告・アンケート情報記憶手段から削除する広告・アンケート削除工程を有することを特徴とする請求項６記載の広告・アンケート配信方法。
【発明の詳細な説明】
【技術分野】
【０００１】
本発明は、広告・アンケート配信システムおよび広告・アンケート配信方法に関する。
【背景技術】
【０００２】
従来から、広告者の広告を顧客となり得る者へ配信する方法として種々の方法が考えられている。例えば、携帯端末の利用者の行動情報を収集し、それに基づいて顧客となり得る確立の高い者へ広告を配信する方法がある（例えば、特許文献１参照）。
【先行技術文献】
【特許文献】
【０００３】
【特許文献１】特願２００９−１３４３６１
【発明の概要】
【発明が解決しようとする課題】
【０００４】
しかしながら従来の広告およびアンケートのいずれか一方または両方の配信方法は、情報発信者等から端末の利用者への一方的な広告、またはアンケートであったため、利用者にとって不要な広告またはアンケートを送信する場合があり、無駄が生じるという問題があった。
【０００５】
また、情報発信者にとって、送信した広告およびアンケートのいずれか一方または両方に興味を示す者の定量が困難であるという問題もあった。
【０００６】
そこで本発明は、無駄な広告およびアンケートのいずれか一方または両方を減らすことができると共に、広告およびアンケート効果の定量が容易な広告およびアンケート配信システムと広告およびアンケート配信方法を提供することを目的とする。
【課題を解決するための手段】
【０００７】
本発明の広告・アンケート配信システムは、端末の利用者に情報発信者の広告およびアンケートのいずれか一方または両方を配信するためのものであって、前記情報発信者の広告及びアンケートのいずれか一方又は両方を広告・アンケート識別情報と共に記憶する広告・アンケート情報記憶手段と、利用者別に情報発信者の広告・アンケート識別情報を記憶する利用者別広告・アンケート情報記憶手段と、情報発信者と利用者の双方の承諾を得ると、前記広告・アンケート情報記憶手段に記憶されている当該情報発信者の広告・アンケート識別情報を当該利用者の利用者別広告・アンケート情報記憶手段に記憶させる広告・アンケートマッチング手段と、利用者別広告・アンケート情報記憶手段に記憶された広告・アンケート識別情報に対応する広告・アンケートを前記広告・アンケート情報記憶手段から当該利用者の端末に送信する広告・アンケート送信手段と、を具備することを特徴とする。
【０００８】
この場合、前記広告・アンケートマッチング手段は、利用者又は情報発信者等のうち、少なくとも一方が承諾を破棄した場合には、当該情報発信者の広告・アンケート識別情報を当該利用者の利用者別広告・アンケート情報記憶手段から削除しても良い。
【０００９】
また、端末から利用者の行動に起因する情報である利用者行動情報と、当該端末の端末識別情報とを取得する利用者行動情報取得手段と、前記利用者行動情報取得手段が取得した利用者行動情報及び端末識別情報を記憶する利用者行動情報記憶手段と、任意の検索条件を満たしている利用者行動情報に対応する利用者を前記利用者行動情報記憶手段から検索する利用者検索手段と、を具備する方が好ましい。
【００１０】
更に、情報発信者に関する情報発信者情報と、当該情報発信者の情報発信者識別情報とを取得する情報発信者情報取得手段と、前記情報発信者情報取得手段が取得した情報発信者情報と情報発信者識別情報とを記憶する情報発信者情報記憶手段と、入力した検索条件を満たしている情報発信者情報に対応する情報発信者を情報発信者記憶手段から検索する情報発信者検索手段と、を具備する方が好ましい。
【００１１】
また、前記マッチング手段において、利用者が情報発信者の広告及びアンケートのいずれか一方または両方を承諾した際に特典に関する情報を記憶する特典記憶手段を具備するようにしても良い。
【００１２】
本発明の広告・アンケート配信方法は、端末の利用者に情報発信者の広告及びアンケートのいずれか一方または両方を配信するための広告・アンケート配信方法であって、情報発信者の広告及びアンケートのいずれか一方または両方を広告・アンケート識別情報と共に広告・アンケート情報記憶手段に記憶させる広告・アンケート情報記憶工程と、情報発信者と利用者の双方の承諾を得ると、前記広告・アンケート情報記憶手段に記憶されている当該情報発信者の広告・アンケート識別情報を当該利用者の利用者別広告・アンケート情報記憶手段に記憶させる広告・アンケートマッチング工程と、利用者別広告・アンケート情報記憶手段に記憶された広告・アンケート識別情報に対応する広告・アンケートを前記広告・アンケート情報記憶手段から当該利用者の端末に送信する広告・アンケート送信工程と、を有することを特徴とする。
【００１３】
この場合、利用者又は情報発信者のうち、少なくとも一方が承諾を破棄した場合には、当該情報発信者の広告及びアンケートのいずれか一方または両方の識別情報を当該利用者の利用者別広告・アンケート情報記憶手段から削除する広告・アンケート削除工程を有するようにしても良い。
【発明の効果】
【００１４】
本発明の広告・アンケート配信システム及び広告・アンケート配信方法によれば、情報発信者等と利用者双方の承諾の下に広告及びアンケートのいずれか一方または両方を配信するので、無駄な広告およびアンケートを減らすことができると共に、広告・アンケート効果の定量が容易な広告・アンケート配信を行うことができる。
【図面の簡単な説明】
【００１５】
【図１】本発明の広告・アンケート配信システムの一例を示すブロック図である。
【図２】本発明の広告・アンケート配信システムの別の一例を示すブロック図である。
【図３】本発明の広告・アンケート配信システムの動作の一部を示すフローチャートである。
【図４】本発明の広告配信システムの動作の一部を示すフローチャートである。
【図５】本発明のアンケート配信システムの動作の一部を示すフローチャートである。
【図６】本発明の広告・アンケート配信システムの動作の一部を示すフローチャートである。
【発明を実施するための形態】
【００１６】
本発明の広告・アンケート配信システム１は、端末２の利用者３に情報発信者６の広告及びアンケートのいずれか一方または両方を配信するためのものであって、図１に示すように、利用者行動情報取得手段11、利用者行動情報記憶手段12、利用者検索手段13、広告・アンケート情報記憶手段14、利用者別広告・アンケート情報記憶手段15、広告・アンケートマッチング手段16、広告・アンケート送信手段17、で主に構成される。なお、図１には、１つの端末２を模式的に記載しているが、端末の台数は１つに限定されるものではない。
【００１７】
ここで端末２とは、インターネット等の通信ネットワーク４を介して、本発明の広告・アンケート配信システム１と情報の送受信ができるものであればどのようなものでも良く、例えば携帯電話などの携帯端末やコンピュータなどが該当する。端末２は、本発明の広告・アンケート配信システム１から広告およびアンケートのいずれか一方または両方を受信したときに、その広告およびアンケートのいずれか一方または両方を、携帯電話のディスプレイやコンピュータのモニタなどの表示手段に表示することができる。
【００１８】
利用者行動情報取得手段11は、インターネット等の通信ネットワーク４を介して、利用者行動情報と、当該端末２の端末識別情報とを取得し、利用者行動情報記憶手段12に記憶させるものである。当該利用者行動情報取得手段11としては、端末２から利用者行動情報と端末識別情報とを受信することができるソフトウェアやプログラムなどを用いることができる。利用者行動情報の取得方法はどのようなものでも良く、例えば、端末２が元々有するプログラム等によって収集された情報を取得する方法や、端末２にアプリケーションソフトを常駐させて、当該アプリケーションソフトに収集させた情報を取得する方法などが挙げられる。また、利用者行動情報の取得はリアルタイムで行っても良いが、所定の時間ごとに、あるいは所定の日時に一括して取得するものであっても良い。
【００１９】
なお、利用者行動情報とは、端末２から取得することができる情報であって、利用者の行動に起因する情報を意味する。例えば、端末２の利用時間や利用場所、利用内容、利用方法などが挙げられる。もちろん、これらの情報を組み合わせたものや計算等により加工したものなども含まれる。
【００２０】
利用時間とは、具体的には、利用者３が端末２の開閉、起動、キー操作などの端末２の操作を行った時刻や一定の操作を行っている時間などを意味し、端末２が備えるタイマーを用いて取得すれば良い。
【００２１】
利用場所とは、具体的には、利用者３が端末２を操作した場所を意味し、例えば、ＧＰＳ（Global Positioning System）を利用して緯度及び経度を取得するようにすれば良い。
【００２２】
利用内容とは、具体的には、端末２に対してどのような操作を行ったかを意味し、例えば、広告およびアンケートのいずれか一方または両方の承諾数や承諾率、情報発信者６のＵＲＬへのアクセス数、アンケートへの回答数、回答頻度、回答文字数、回答絵文字数、回答漢字数、回答カタカナ数、回答英数字数、特定ワードの使用数や使用頻度、購買履歴、ポイントや特典等の利用履歴などが該当する。また、性別やハンドルネーム、生年月日、現住所、最寄り駅、メールアドレス、勤務地、勤務地の最寄り駅、立ち寄り駅、出身地、血液型、既婚又は未婚、職種、趣味、好きなスポーツ、好物など、端末２の利用者３が自ら登録した登録情報も含まれる。
【００２３】
利用方法とは、具体的には、端末２をどのように利用しているかを意味し、例えば、携帯電話としての利用、インターネットとしての利用、音楽再生としての利用、カメラとしての利用、ゲームなどのアプリケーションの利用などが該当する。
【００２４】
利用者行動情報記憶手段12は、利用者行動情報取得手段11が取得した利用者行動情報と端末識別情報とを関連付けて記憶するもので、データベース等が該当する。この場合、利用者行動情報記憶手段12は、利用者検索手段13を用いた際に、所定の検索条件を満たす利用者３を容易に検索・抽出することができるように、利用者行動情報を整理して記憶する方が好ましい。
【００２５】
利用者検索手段13は、任意の検索条件を満たしている利用者行動情報に対応する利用者を利用者行動情報記憶手段12から検索するものである。例えば、検索条件を端末５（例えばコンピュータや携帯電話等）の入力手段（例えば、テンキーやキーボード、マウス等）から入力することによって、検索条件に合致する利用者に関する情報を示すことができる一般的な検索用プログラムを用いれば良い。検索結果は、端末５の表示手段に表示したり、広告・アンケートマッチング手段16で利用される。これにより、情報発信者６は、顧客となり得る利用者を利用者行動情報から容易に絞り込むことができる。
【００２６】
広告・アンケート情報記憶手段14は、情報発信者６の広告やアンケートを広告・アンケート識別情報と共に記憶するもので、データベース等が該当する。ここで広告・アンケート識別情報とは、情報発信者６を特定する情報発信者識別情報だけでも良いが、情報発信者６が特定の商品、サービス群ごとに広告あるいは、利用者向けのアンケートを作成する場合には、そのカテゴリーを特定する広告対象識別情報を含んでも良い。例えば、情報発信者６がスポーツショップであって、野球用品、サッカー用品、水泳用品等、特定のカテゴリーごとに広告または、アンケートを作成する場合には、当該スポーツショップを特定する情報発信者識別情報の他、当該カテゴリーごとの広告対象識別情報も含まれる。なお、広告・アンケート情報記憶手段14に記憶された広告とアンケートは、情報発信者が任意の時刻に更新することも可能である。
【００２７】
利用者別広告・アンケート情報記憶手段15は、利用者別に情報発信者の広告・アンケート識別情報を記憶するものである。これによって利用者は、本広告配信システム１上に用意された自分専用のサイトにおいて、自己にとって有益な広告及びアンケートのいずれか一方または両方を閲覧することができる。また、広告・アンケート識別情報を記憶するので、広告とアンケート内容に更新があっても、広告・アンケート識別情報が変わらない限り、当該広告・アンケート識別情報に対応する広告とアンケートを閲覧することができる。
【００２８】
広告・アンケートマッチング手段16は、情報発信者と利用者の双方の承諾を得ると、広告・アンケート情報記憶手段14とに記憶されている当該情報発信者の広告・アンケート識別情報を当該利用者の利用者別広告・アンケート情報記憶手段15に記憶させるものである。
【００２９】
例えば、情報発信者６が特定の利用者のサイト（利用者別広告・アンケート情報記憶手段15）に広告掲載の依頼を配信し、当該利用者がその承諾を行った際に、情報発信者６と利用者双方の承諾があったと判定する。すると、広告・アンケートマッチング手段16は、当該情報発信者６の広告・アンケート識別情報を当該利用者の利用者別広告・アンケート情報記憶手段15に記憶させる。
【００３０】
また、利用者が特定の広告及びアンケートのいずれか一方または両方を自己のサイトに掲載して欲しい場合には、当該広告の情報発信者に広告・アンケート掲載の依頼を配信し、当該情報発信者がその承諾を行った際に、情報発信者と利用者双方の承諾があったと判定する。すると、広告・アンケートマッチング手段16は、当該情報発信者の広告・アンケート識別情報を当該利用者の利用者別広告・アンケート情報記憶手段15に記憶させる。
【００３１】
なお、情報発信者と利用者双方の承諾を得ると、利用者別広告・アンケート情報記憶手段15に広告・アンケート識別情報が記憶されるので、広告またはアンケートの内容に更新があったとしても、当該広告・アンケート識別情報が削除されない限り、利用者は、自己のサイト上で当該広告及びアンケートのいずれか一方または両方を閲覧することができる。
【００３２】
また、広告・アンケートマッチング手段16は、利用者又は情報発信者６のうち、少なくとも一方が承諾を破棄した場合には、当該情報発信者６の広告・アンケート識別情報を当該利用者の利用者別広告・アンケート情報記憶手段15から削除するようにすることもできる。
【００３３】
広告・アンケート送信手段17は、利用者別広告・アンケート情報記憶手段15に記憶された広告・アンケート識別情報に対応する広告とアンケートを広告・アンケート情報記憶手段14から当該利用者の端末２に送信するものである。例えば、利用者が利用者専用に設けられたサイトを閲覧しようとすると、広告・アンケート送信手段17は、利用者別広告・アンケート情報記憶手段15に記憶されている広告・アンケート識別情報を取得する。そして、当該広告・アンケート識別情報に対応する広告または、アンケートを広告・アンケート情報記憶手段14から選択し、利用者に送信する。これを利用者が端末２の表示手段、例えばディスプレイ等に表示することによって広告または、アンケートを閲覧することができる。
【００３４】
なお、広告送信手段は広告・アンケート情報記憶手段14に記憶されている広告及び、アンケートのいずれか一方または両方が更新された場合には、広告または、アンケートが更新されたことを利用者に通知するようにしても良い。例えば、利用者のサイト上に該当広告または、アンケートが更新されている旨を表示したり、利用者のメールアドレス宛にメールを送信したりすれば良い。
【００３５】
広告配信システム１をこのように構成することにより、情報発信者と利用者双方の意思の合致した広告及びアンケートのいずれか一方または両方を利用者が閲覧することができるので、広告とアンケートの無駄を少なくすることができる。また、利用者に承諾を得た広告及びアンケートのいずれか一方または両方を配信するので、情報発信者は広告とアンケートに対する評価を定量的に行うことができる。
【００３６】
なお、本発明の広告・アンケート配信システム１は、図２に示すように、情報発信者情報取得手段18と、情報発信者情報記憶手段19と、情報発信者検索手段20と、を更に具備するように構成しても良い。
【００３７】
情報発信者情報取得手段18は、インターネット等の通信ネットワーク４を介して、情報発信者６に関する情報発信者情報と、当該情報発信者６の情報発信者識別情報とを取得し、情報発信者情報記憶手段19に記憶させるものである。情報発信者情報取得手段18としては、このような機能を有するソフトウェアやプログラムなどを用いれば良い。情報発信者情報の取得方法はどのようなものでも良く、例えば、端末５が元々有するプログラム等によって収集されたものを取得する方法や、端末５にアプリケーションソフトを常駐させて、当該アプリケーションソフトに収集させたものを取得する方法などが挙げられる。
【００３８】
なお、情報発信者情報は、情報発信者６の行動に起因する情報だけでなく、利用者の行動に起因する情報発信者６の情報も含まれる。
【００３９】
情報発信者６の行動に起因する情報とは、広告またはアンケートの更新履歴、広告またはアンケート出稿回数、社会貢献率などが該当する。また、住所、最寄り駅、業種、商品・サービス、営業日、設立年月日、資本金など、情報発信者６が自ら登録した登録情報も含まれる。
【００４０】
利用者の行動に起因する情報発信者６の情報とは、情報発信者サイトの閲覧数や、利用者によって承諾を受けた広告及びアンケートのいずれか一方または両方の掲載量や掲載率などが該当する。これにより、利用者は、利用価値の高い広告・アンケートを客観的に把握することができる。
【００４１】
情報発信者行動情報記憶手段19は、情報発信者情報取得手段18が取得した情報発信者情報と情報発信者識別情報とを記憶するもので、データベース等が該当する。この場合、情報発信者行動情報記憶手段19は、情報発信者検索手段20を用いた際に、所定の検索条件を満たす情報発信者６を容易に検索・抽出することができるように、情報発信者情報を整理して記憶する方が好ましい。
【００４２】
情報発信者検索手段20は、任意の検索条件を満たしている情報発信者情報に対応する情報発信者を情報発信者行動情報記憶手段19から検索するものである。例えば、検索条件を端末２（例えばコンピュータや携帯電話等）の入力手段（例えば、キーボードやマウス等）から入力することによって、検索条件に合致する情報発信者に関する情報を示すことができる一般的な検索用プログラムを用いれば良い。これにより、利用者が自分に必要な情報を有する情報発信者を情報発信者情報から容易に絞り込むことができる。
【００４３】
また、前記マッチング手段において、利用者が情報発信者の広告及びアンケートのいずれか一方または両方を承諾した際に特典に関する情報を記憶する特典記憶手段を備えるようにしても良い。これにより、利用者が情報発信者の広告及びアンケートのいずれか一方または両方を承諾した際に、当該利用者に所定の景品や、当該景品と交換できるポイント等の特典を付与することができるので、利用者が情報発信者６の広告及びアンケートのいずれか一方または両方を承諾するインセンティブとすることができる。特典記憶手段としては、当該利用者の端末識別情報と共に特典を記憶しておくデータベース等を用いることができる。
【００４４】
次に、本発明の広告・アンケート配信システム１の動作（広告・アンケート配信方法）について説明する。この際、まず、情報発信者の広告及びアンケートのいずれか一方または、両方を広告・アンケート識別情報と共に広告・アンケート情報記憶手段に記憶させておく（広告・アンケート情報記憶工程）。
【００４５】
図３は、利用者行動情報を取得する際の一例を示すフロー図である。
【００４６】
まず、利用者行動情報取得手段11は、端末２の端末識別情報を取得すると共に、利用者行動情報を取得する（３Ａ：利用者行動情報取得工程）。この利用者行動情報は一定時間蓄積される。一定時間経過すると、利用者行動情報取得手段11は、利用者行動情報と、当該端末２の端末識別情報を送信し、利用者行動情報記憶手段12に記憶させる（３Ｂ：利用者行動情報記憶工程）。
【００４７】
図４は、広告を配信する情報発信者６と広告を利用する利用者３をマッチングする際の一例を示すフロー図である。
【００４８】
情報発信者６は、まず利用者検索手段13を用いて、過去の行動から広告効果の高そうな利用者を検索し、広告配信対象候補を絞り込む（４Ａ：利用者検索工程）。そして、この広告配信対象候補に広告掲載依頼を配信する。広告の掲載依頼を受けた利用者は、広告・アンケート配信システム１に設けられた当該利用者専用のサイト上で、その広告の掲載依頼を承諾するか決定する。承諾した場合には、広告・アンケート情報記憶手段14に記憶されている当該情報発信者６の広告識別情報（広告・アンケート識別情報）を当該利用者の利用者別広告・アンケート情報記憶手段15に記憶させる（４Ｂ：広告・アンケートマッチング工程）。承諾しなかった場合には、プログラムを終了する。この際、承諾されなかったことを情報発信者６に送信するようにしても良い。
【００４９】
図５は、アンケートを配信する情報発信者６とアンケートを利用する利用者をマッチングする際の一例を示すフロー図である。
【００５０】
情報発信者６は、まず利用者検索手段13を用いて、過去の行動からアンケート調査での効果の高そうな利用者を検索し、アンケート配信対象候補を絞り込む（５Ａ：利用者検索工程）。そして、このアンケート配信対象候補にアンケート掲載依頼を配信する。アンケート掲載依頼を受けた利用者は、広告・アンケート配信システム１に設けられた当該利用者専用のサイト上で、そのアンケートの掲載依頼を承諾するか決定する。承諾した場合には、広告・アンケート情報記憶手段14に記憶されている当該情報発信者６のアンケート識別情報（広告・アンケート識別情報）を当該利用者の利用者別広告・アンケート情報記憶手段15に記憶させる（５Ｂ：広告・アンケートマッチング工程）。承諾しなかった場合には、プログラムを終了する。この際、承諾されなかったことを情報発信者６に送信するようにしても良い。
【００５１】
掲載を承諾されたアンケートへの利用者の回答情報は広告配信システム１に設けられたアンケート結果記憶手段にてサイト運営側で集計される。集計されたアンケート回答情報は、運営側から情報発信者6に報告される。
【００５２】
図６は、広告及びアンケートのいずれか一方または両方を配信する情報発信者６と広告及びアンケートのいずれか一方または両方を利用する利用者をマッチングする際の別の例を示すフロー図である。
【００５３】
利用者３は、まず情報発信者検索手段20を用いて、情報発信者６に関する情報から自分にとって有益な広告及びアンケートのいずれか一方または両方を配信していると考える情報発信者６を検索し絞り込む（６Ａ：情報発信者検索工程）。そして、この情報発信者６に広告・アンケート掲載依頼を配信する。広告・アンケート掲載依頼を受けた情報発信者６は、広告・アンケート配信システム１に設けられた当該利用者専用のサイト上に広告及びアンケートのいずれか一方または両方を掲載することについて承諾するか決定する。承諾した場合には、広告・アンケート情報記憶手段14に記憶されている当該情報発信者６の広告・アンケート識別情報を当該利用者の利用者別広告・アンケート情報記憶手段15に記憶させる（６Ｂ：広告・アンケートマッチング工程）。承諾しなかった場合には、プログラムを終了する。この際、承諾されなかったことを利用者に送信するようにしても良い。
【００５４】
なお、利用者が利用者専用サイトから広告を閲覧しようとする場合、広告・アンケート送信手段17は、利用者別広告・アンケート情報記憶手段に記憶された広告・アンケート識別情報に対応する広告を広告・アンケート情報記憶手段14から当該利用者の端末２に送信する（広告・アンケート送信工程）。送信された広告は、端末２の表示手段（ディスプレイ、モニタ等）から閲覧可能となる。
【００５５】
また、利用者が利用者専用サイトでアンケートを閲覧しようとするとする場合、広告・アンケート送信手段17は、利用者別広告・アンケート情報記憶手段15に記憶された広告・アンケート識別情報に対応するアンケートを広告・アンケート情報記憶手段14から当該利用者の端末２に送信する（広告・アンケート送信工程）。送信されたアンケートは、端末２の表示手段（ディスプレイ、モニタ等）から閲覧可能となる。
【００５６】
また、利用者又は情報発信者のうち、少なくとも一方が承諾を破棄した場合には、該当情報発信者の広告・アンケート識別情報を当該利用者の利用者別広告・アンケート情報記憶手段15から削除することもできる（広告・アンケート削除工程）
【００５７】
広告・アンケート配信システム１をこのように構成することにより、情報発信者６と利用者双方の承諾の下に広告及びアンケートのいずれか一方または両方を配信するので、無駄な広告及びアンケートを減らすことができると共に、広告及びアンケートのいずれか一方または両方の効果の定量が容易な広告・アンケート配信を行うことができる。
【符号の説明】
【００５８】
１  広告・アンケート配信システム
２  端末
３  利用者
４  通信ネットワーク
５  端末
６  情報発信者
11  利用者行動情報取得手段
12  利用者行動情報記憶手段
13  利用者検索手段
14  広告・アンケート情報記憶手段
15  利用者別広告・アンケート情報記憶手段
16  広告・アンケートマッチング手段
17  広告・アンケート送信手段
18  情報発信者情報取得手段
19  情報発信者行動情報記憶手段
20  情報発信者検索手段
【図１】
2011040056.tif 000003
【図２】
2011040056.tif 000004
【図３】
2011040056.tif 000005
【図４】
2011040056.tif 000006
【図５】
2011040056.tif 000007
【図６】
2011040056.tif 000008